(57)【要約】【課題】建物の周囲に足場を設置する際に繋ぎ部材の取り付け箇所を容易に特定する。【解決手段】外壁２０を構成する外壁パネル３０は、外壁パネル３０の縁部に配置されたフレーム３２を有し、フレーム３２は、鉛直方向において互いに隣り合う外壁パネル３０同士の間に形成された横目地２１の奥側に配置されている張り出し部３２ａを備え、当該張り出し部３２ａには、足場Ｆを外壁２０に固定するために用いられる足場繋ぎ部材１０を取り付けるための取り付け用ボルトＢが挿入されるボルト孔３２ｂとナット３３とが設けられている。また、上記の張り出し部３２ａにおいてボルト孔３２ｂ及びナット３３が設けられている箇所は、外壁パネル３０中の基準位置を基準として設定された位置である。【選択図】図５
2018104976.tif 000002
【特許請求の範囲】
【請求項１】
外壁パネルを建物の高さ方向に複数並べることで構成され、前記建物の周囲に設置された足場を固定することが可能な外壁であって、
前記外壁パネルは、該外壁パネルの縁部に配置されたフレームを有し、
該フレームは、前記高さ方向において互いに隣り合う前記外壁パネル同士の間に形成された隙間の奥側に配置されている特定部分を備え、
前記特定部分には、前記足場を前記外壁に固定するために用いられる繋ぎ部材を取り付けるためのネジが挿入されるネジ孔と、前記ネジにおいて前記ネジ孔に挿入された部分と係合する係合部品とが設けられており、
前記特定部分において前記ネジ孔及び前記係合部品が設けられている位置は、前記外壁パネル中の基準位置を基準として設定された位置であることを特徴とする外壁。
【請求項２】
前記外壁パネルは、前記外壁パネルの厚み方向において前記特定部分と隣接する位置に断熱材を有することを特徴とする請求項１に記載の外壁。
【請求項３】
前記断熱材は、前記厚み方向において前記特定部分よりも屋外側で前記特定部分と隣接する第一の断熱材を有し、
該第一の断熱材において前記特定部分と隣接している部分には、前記ネジ孔と連通している貫通孔が形成されていることを特徴とする請求項２に記載の外壁。
【請求項４】
前記断熱材は、前記厚み方向において前記特定部分よりも屋内側で前記特定部分と隣接する第二の断熱材を有し、
該第二の断熱材は、前記ネジのうち、前記ネジ孔を通過して前記係合部品から突き出ている部分の長さが変化した際に該長さに応じて変形可能な素材からなることを特徴とする請求項３に記載の外壁。
【請求項５】
前記外壁のうち、前記建物の周囲に前記足場が設置された際に該足場と対向する側にある前記外壁の所定領域を構成する前記外壁パネルのすべての前記特定部分において、前記ネジ孔及び前記係合部品が、前記外壁パネル中の基準位置を基準として設定された位置に設けられていることを特徴とする請求項１乃至４のいずれか一項に記載の外壁。
【発明の詳細な説明】
【技術分野】
【０００１】
本発明は、建物の外壁に係り、特に、建物の周囲に設置された足場を固定することが可能な外壁に関する。
【背景技術】
【０００２】
建物の周囲に足場を設置する際に、繋ぎ部材を用いて足場を建物の外壁に対して固定することは既に知られている。また、上記の繋ぎ部材は、建物の躯体や外壁に対して固定された状態で用いられる。一例を挙げて説明すると、特許文献１では、外壁が有する枠材のうち、外壁同士の間に形成される隙間（目地）の奥側に位置する部分にネジ孔が形成されている。そして、特許文献１では、このネジ孔に挿入されたネジによって繋ぎ部材を外壁に固定している。
【０００３】
また、別の例を挙げると、特許文献２では、外壁パネルのパネルフレームにネジ孔及びナットが設けられた部材（特許文献２では、基端部係合部）が取り付けられている。そして、特許文献２では、繋ぎ部材が有するネジの基端部を外壁パネル間の隙間（目地）に挿入してから上記の部材（基端部係合部）に係合させることで、繋ぎ部材を外壁に固定している。
【先行技術文献】
【特許文献】
【０００４】
【特許文献１】特開平８−３２６３０４号公報
【特許文献２】特開２００７−５６５９４号公報
【発明の概要】
【発明が解決しようとする課題】
【０００５】
ところで、繋ぎ部材を取り付けるために外壁の枠材等に形成されたネジ孔は、足場が解体されて繋ぎ部材が取り外された後、目地を塞ぐために設置されるシーリング剤やガスケット等によって覆われてしまう。また、建物の改修等のために当該建物の周囲に足場を再度設置する場合には、繋ぎ部材を用いるために上記のネジ孔を見つけて再利用することになる。この場合、ネジ孔がシーリング剤やガスケット等により覆われていると、ネジ孔を見つけ難くなるために足場の設置作業がスムーズに進められなくなる虞がある。
【０００６】
そこで、本発明は、上記の課題に鑑みてなされたものであり、その目的とするところは、建物の周囲に足場を設置する際に用いられる繋ぎ部材の取り付け箇所を容易に特定することが可能な建物の外壁を提供することである。
【課題を解決するための手段】
【０００７】
前記課題は、本発明の外壁によれば、外壁パネルを建物の高さ方向に複数並べることで構成され、前記建物の周囲に設置された足場を固定することが可能な外壁であって、前記外壁パネルは、該外壁パネルの縁部に配置されたフレームを有し、該フレームは、前記高さ方向において互いに隣り合う前記外壁パネル同士の間に形成された隙間の奥側に配置されている特定部分を備え、前記特定部分には、前記足場を前記外壁に固定するために用いられる繋ぎ部材を取り付けるためのネジが挿入されるネジ孔と、前記ネジにおいて前記ネジ孔に挿入された部分と係合する係合部品とが設けられており、前記特定部分において前記ネジ孔及び前記係合部品が設けられている位置は、前記外壁パネル中の基準位置を基準として設定された位置であることにより解決される。
【０００８】
上記のように構成された本発明の外壁によれば、繋ぎ部材を取り付けるために設けられたネジ孔及び係合部品が、外壁パネル中の基準位置を基準として設定された位置にある。これにより、建物の周囲に足場を設置する際には、外壁パネル中の基準位置を手懸りとしてネジ孔及び係合部品の位置（すなわち、繋ぎ部材の取り付け箇所）を容易に特定することができる。
【０００９】
また、上記の構成に関して、前記外壁パネルは、前記外壁パネルの厚み方向において前記特定部分と隣接する位置に断熱材を有していてもよい。
より厳密に説明すると、前記断熱材は、前記厚み方向において前記特定部分よりも屋外側で前記特定部分と隣接する第一の断熱材を有し、該第一の断熱材において前記特定部分と隣接している部分には、前記ネジ孔と連通している貫通孔が形成されていてもよい。
【００１０】
さらに、前記断熱材は、前記厚み方向において前記特定部分よりも屋内側で前記特定部分と隣接する第二の断熱材を有し、該第二の断熱材は、前記ネジのうち、前記ネジ孔を通過して前記係合部品から突き出ている部分の長さが変化した際に該長さに応じて変形可能な素材からなることとしてもよい。
【００１１】
また、上記の構成に関して、前記外壁のうち、前記建物の周囲に前記足場が設置された際に該足場と対向する側にある前記外壁の所定領域を構成する前記外壁パネルのすべての前記特定部分において、前記ネジ孔及び前記係合部品が、前記外壁パネル中の基準位置を基準として設定された位置に設けられているとよい。
上記の構成では、足場と対向する側にある外壁の所定領域を構成する外壁パネルの各々の特定部分において、ネジ孔及び係合部品が、外壁パネル中の基準位置を基準として設定された位置に設けられている。これにより、建物の周囲に足場を設置する際には、ネジ孔及び係合部品の位置を一段と容易に特定することが可能となる。また、足場と対向する側にある外壁の所定領域を構成する外壁パネルの構成（具体的には、ネジ孔及び係合部品の有無）が統一されているため、各外壁パネルの設置場所に応じて外壁パネルの構成を変える必要がない。この結果、建物の建設時には、足場と対向する外壁の所定領域をより簡単に構築することが可能となる。
【発明の効果】
【００１２】
本発明の外壁によれば、建物の周囲に足場を設置する際に繋ぎ部材の取り付け箇所を容易に特定することが可能になる。
【図面の簡単な説明】
【００１３】
【図１】足場が足場繋ぎ部材によって建物に固定されている状態を示す図である。
【図２】外壁パネルの側方断面図である。
【図３】外壁パネルの背面図である。
【図４】外壁を図２中のＸ−Ｘ面に相当する面にて切断した際の断面を示す図である。
【図５】足場繋ぎ部材取り付け用のボルトが設置されている状態を示す図である。
【図６】足場解体後にボルトが捩じ込まれている様子を示す図である。
【図７】ボルトの設置箇所についての説明図である。
【発明を実施するための形態】
【００１４】
以下、本発明の一実施形態（本実施形態）に説明する。また、以降では、住宅（具体的には戸建住宅、若しくはアパートやマンションなどの集合住宅）を建物の一例に挙げて説明することとする。ただし、あくまでも住宅は建物の一例に過ぎず、本発明は、他の建物、例えば商業ビル、工場内の建屋、店舗等においても利用可能なものである。
【００１５】
なお、以下の説明中の「鉛直方向」は、建物である住宅の高さ方向に相当する方向である。また、「水平方向」は、住宅の桁行方向又は梁間方向に相当する方向である。
【００１６】
本実施形態に係る外壁（以下、外壁２０）について概説すると、外壁２０は、外壁パネル３０を鉛直方向に複数並べることで構成される。また、外壁２０は、住宅の周囲に設置された足場Ｆを固定しておくことが可能である。具体的には、外壁２０と足場Ｆとの間に足場繋ぎ部材１０を設置し、足場繋ぎ部材１０を介して足場Ｆを外壁２０に対して固定する。
【００１７】
足場繋ぎ部材１０について図１を参照しながら説明する。足場繋ぎ部材１０は、繋ぎ部材であり、足場Ｆを住宅の周辺に構築する際に当該足場Ｆを住宅の外壁２０に対して固定するために用いられる。足場繋ぎ部材１０は、公知の壁繋ぎ部材からなり、基端部１１と中間部１２と先端部１３とを有する。基端部１１は、ネジ孔が形成された筒状体であり、後述する取り付け用ボルトＢが螺合される。中間部１２は、伸縮自在な長尺体からなり、例えば、長尺ネジとこれに螺合する長尺ナットによって構成されている。先端部１３は、足場Ｆの支柱Ｆｂに取り付け可能であり、例えば、クランプからなる。
【００１８】
上記の足場繋ぎ部材１０を取り付けるためには、住宅の外壁２０のうち、足場Ｆが設置された際に当該足場Ｆと対向する側にある外壁２０（以下、対向壁とも言う）の所定箇所に取り付け用ボルトＢを設ける必要がある。この取り付け用ボルトＢは、足場繋ぎ部材１０を取り付けるためのネジであり、本実施形態ではスタッドボルトによって構成されている。
【００１９】
そして、取り付け用ボルトＢは、対向壁から足場Ｆが設置されている側に向かって延出するように設置される。具体的に説明すると、対向壁を含む住宅の外壁２０は、鉛直方向及び水平方向に並べられた複数の外壁パネル３０によって構成されている。また、鉛直方向において互いに隣り合う外壁パネル３０同士の間には、水平方向に沿って長く延びた隙間（すなわち、横目地２１）が形成されている。取り付け用ボルトＢは、図１に示すように、その一部分が横目地２１に入り込み、先端部分が外壁パネル３０よりも外側に突出した状態で設置される。そして、取り付け用ボルトＢ中、外壁パネル３０よりも外側に突出した部分に足場繋ぎ部材１０の基端部１１が螺合することで、足場繋ぎ部材１０が対向壁に対して取り付けられるようになる。
【００２０】
また、取り付け用ボルトＢのうち、内側端部（足場繋ぎ部材１０とは反対側に位置する端部）は、外壁パネル３０において横目地２１の奥側に位置する部分に固定されている。以下、外壁パネル３０における取り付け用ボルトＢの固定構造について説明する。
【００２１】
ボルト固定構造を説明するにあたり、外壁パネル３０の構造について図２乃至図４を参照しながら説明する。外壁パネル３０は、図２に示すように、本体部３１と本体部３１を保持するフレーム３２とを有する。フレーム３２は、図３に示すように矩形状の枠体であり、外壁パネル３０の縁部に配置されている。なお、フレーム３２の各部は、鋼材からなり、厳密にはリップ溝形鋼（Ｃ形鋼）からなる。フレーム３２をなすＣ形鋼は、当該Ｃ形鋼に設けられた一対の張り出し部３２ａの間に本体部３１の一部（具体的には、第二断熱層３１ｄ）を挟み込んだ状態で本体部３１を保持している。
【００２２】
本体部３１は、外壁パネル３０のうち、フレーム３２以外の部分であり、通気性を備えた外張断熱用の構造となっている。図４を参照しながら具体的に説明すると、本体部３１は、屋外に面する面材３１ａと、通気層３１ｂと、高密度グラスウールボードからなる第一断熱層３１ｃと、高性能グラスウールからなる第二断熱層３１ｄとを有する。
【００２３】
面材３１ａは、正面視で略矩形状となった板材、具体的にはサイディングボードである。なお、外壁パネル３０において、面材３１ａは、図２に示すように、面材３１ａの上端がフレーム３２の上端よりもやや下がっており、かつ、面材３１ａの下端がフレーム３２の下端よりもやや下がった状態で取り付けられている。このため、図５に示すように、鉛直方向において互いに隣り合う２つの外壁パネル３０の間に形成された横目地２１の奥側には、下側の外壁パネル３０のフレーム３２の上端部分が位置していることになる。
【００２４】
より詳しく説明すると、下側の外壁パネル３０のフレーム３２のうち、上端部分を構成するＣ形鋼の張り出し部３２ａ（厳密には、一対の張り出し部３２ａのうち、より屋外側に位置する張り出し部３２ａ）が位置している。以下では、横目地２１の奥側に位置する張り出し部３２ａを、「目地奥部分」と呼ぶこととする。この目地奥部分は、本発明の「特定部分」に相当する。
【００２５】
なお、一対の張り出し部３２ａのうち、目地奥部分とは反対側の張り出し部３２ａには、図５に示すように、屋内側からパネル固定金物４０がボルト留めされている。
【００２６】
通気層３１ｂは、外壁パネル３０の厚み方向において面材３１ａと第一断熱層３１ｃとの間に所定の厚みを有するスペーサ３１ｅを配置することで形成されている。第一断熱層３１ｃは、断熱材に相当し、より厳密には第一の断熱材に相当する。この第一断熱層３１ｃは、フレーム３２よりも屋外側に配置されている。また、第一断熱層３１ｃの上端部は、図５に示すように、外壁パネル３０の厚み方向において目地奥部分（すなわち、張り出し部３２ａ）と隣接する位置にあり、より詳しくは、目地奥部分よりも屋外側で当該目地奥部分と隣接している。
【００２７】
第二断熱層３１ｄは、断熱材に相当し、より厳密には第二の断熱材に相当する。この第二断熱層３１ｄは、フレーム３２の内側に保持されている。より詳しく説明すると、図５に示すように、フレーム３２を構成するＣ形鋼が有する一対の張り出し部３２ａの間に、第二断熱層３１ｄの縁部が挟み込まれている。これにより、第二断熱層３１ｄの上端部は、フレーム３２の上端部を構成するＣ形鋼が有する一対の張り出し部３２ａの間に挟み込まれていることになる。換言すると、第二断熱層３１ｄの上端部は、図５に示すように、外壁パネル３０の厚み方向において目地奥部分（すなわち、張り出し部３２ａ）と隣接する位置にあり、より詳しくは、目地奥部分よりも屋内側で当該目地奥部分と隣接している。
【００２８】
なお、第二断熱層３１ｄを構成する高性能グラスウールは、柔軟性を有する素材である。したがって、第二断熱層３１ｄに荷重を加えた場合には、その部位（荷重入力箇所）が押し潰れるように第二断熱層３１ｄが弾性変形する。
【００２９】
次に、取り付け用ボルトＢの固定構造について図５を参照しながら説明する。本実施形態では、外壁パネル３０の所定箇所に取り付け用ボルトＢが挿入されるボルト孔３２ｂ（ネジ孔に相当）が形成されている。具体的に説明すると、外壁パネル３０のフレーム３２の上端部、より詳しくは上記の目地奥部分（張り出し部３２ａ）にボルト孔３２ｂが形成されている。また、目地奥部分のうち、ボルト孔３２ｂが形成された部分の裏面（屋内側に位置する面）には、係合部品としてのナット３３が溶接されている。
【００３０】
さらに、目地奥部分の手前位置にある第一断熱層３１ｃのうち、目地奥部分と隣接している部分には、図５に示すように、ボルト孔３２ｂと連通する位置にある貫通孔３１ｘが形成されている。
【００３１】
なお、上記のボルト孔３２ｂ及びナット３３は、外壁パネル３０が工場から出荷される段階で外壁パネル３０の所定箇所（具体的には、目地奥部分）に既に設けられている。
【００３２】
そして、外壁パネル３０を上下方向及び水平方向に並べて外壁２０を構成した後に外壁２０（厳密には、対向壁）と対向する位置に足場Ｆを構築するとき、上下方向に並ぶ二つの外壁パネル３０の間の隙間、つまり横目地２１を通じて取り付け用ボルトＢを下側の外壁パネル３０のフレーム３２に取り付ける。
【００３３】
具体的に説明すると、取り付け用ボルトＢの一端部を横目地２１の外側から横目地２１内に進入させる。横目地２１を通過した取り付け用ボルトＢの一端部は、第一断熱層３１ｃの貫通孔３１ｘ内に挿入され、やがて、目地奥部分に形成されたボルト孔３２ｂ内に至るようになる。その後、作業者（取り付け用ボルトＢを把持している者）が取り付け用ボルトＢをボルト孔３２ｂに挿入し、さらに、取り付け用ボルトＢのうち、ボルト孔３２ｂに挿入された部分をナット３３に係合（螺合）させる。
【００３４】
以上のような手順により、取り付け用ボルトＢが外壁パネル３０中の目地奥部分に取り付けられる。このとき、取り付け用ボルトＢの外側端部（足場繋ぎ部材１０と同じ側に位置する端部）を横目地２１の開口から幾分外側に突出させておくことで、取り付け用ボルトＢに足場繋ぎ部材１０が組み付け可能となる。
【００３５】
足場Ｆが解体されて足場繋ぎ部材１０を外壁２０から取り外した後、取り付け用ボルトＢは、横目地２１の奥に更に捩じ込まれ、厳密には、取り付け用ボルトＢの外側端部が横目地２１の開口よりも奥側に至るまで捩じ込まれる。この際、取り付け用ボルトＢの内側端部は、図６に示すように、当該内側端部の端面にて第二断熱層３１ｄを押圧しながら第二断熱層３１ｄ内に進入する。換言すると、取り付け用ボルトＢのうち、ボルト孔３２ｂを通じてナット３３から突き出ている部分の長さが変化し、その長さに応じて第二断熱層３１ｄ（厳密には、取り付け用ボルトＢの内側端部に押圧された部分）が押し潰れる。
【００３６】
その後、横目地２１には不図示のシーリング剤やガスケットが挿入され、これにより横目地２１が塞がれるようになる。そして、後日、足場Ｆが再度構築されて当該足場Ｆと対向する外壁２０（対向壁）に対して足場繋ぎ部材１０を再び取り付ける際には、外側端部が横目地２１中に埋設された取り付け用ボルトＢを再度利用する。具体的に説明すると、横目地２１中、取り付け用ボルトＢが埋設されている箇所からシーリング剤やガスケットを除去する。その上で、横目地２１に埋設されている取り付け用ボルトＢの外側端部を横目地２１の開口から突出させる。そして、足場繋ぎ部材１０の基端部１１を取り付け用ボルトＢの外側端部に螺合することで、足場繋ぎ部材１０が対向壁に対して固定されるようになる。
【００３７】
本実施形態では、取り付け用ボルトＢの設置箇所を容易に特定するための構成が採用されている。具体的に説明すると、本実施形態では、上述したように、取り付け用ボルトＢを取り付けるためのボルト孔３２ｂ及びナット３３が外壁パネル３０のフレーム３２、厳密には目地奥部分（張り出し部３２ａ）に設けられている。ここで、目地奥部分においてボルト孔３２ｂ及びナット３３が設けられている位置は、外壁パネル３０中の基準位置を基準として設定された位置になっている。詳しく説明すると、目地奥部分のうち、面材３１ａにおける所定の角部（例えば、右上又は左上の角部）を基準位置とし、当該角部から所定距離だけ離れた位置に在る箇所にボルト孔３２ｂ及びナット３３が設けられている。
【００３８】
以上のように本実施形態では、外壁パネル３０においてボルト孔３２ｂ及びナット３３が決められた位置（基準位置から所定距離だけ離れた位置）に設けられている。これにより、横目地２１に取り付け用ボルトＢの外側端部が埋設され、さらに横目地２１がシーリング剤やガスケットによって塞がれたとしても、その後に取り付け用ボルトＢの設置箇所を容易に特定することが可能となる。
【００３９】
さらに、本実施形態では、外壁２０のうち、住宅の周囲に足場Ｆが設置された際に当該足場Ｆと対向する側にある外壁（すなわち、対向壁）の所定領域を構成する外壁パネル３０のすべてにおいて上記の構成が採用されている。つまり、対向壁の所定領域を構成する各外壁パネル３０においてボルト孔３２ｂ及びナット３３がフレーム３２の目地奥部分のうち、面材３１ａの所定の角部から所定距離だけ離れた位置に設けられている。なお、「所定領域」とは、鉛直方向及び水平方向のそれぞれにおいて２枚以上の外壁パネルが並ぶ領域であり、例えば、対向壁のうち、水平方向において一端側半分を占め、鉛直方向において上端から他端まで亘った領域が該当する。
【００４０】
以上の結果、対向壁では、図７に示すように、水平方向に並ぶ外壁パネル３０同士の隙間（すなわち、縦目地２２）と横目地２１とが交差する箇所から水平方向に所定距離だけ離れた箇所に必ずボルト孔３２ｂ及びナット３３が設けられている。かかる位置情報を把握しておけば、足場Ｆを構築して足場繋ぎ部材１０を外壁２０に固定する際に、取り付け用ボルトＢの設置箇所を容易に特定することが可能となる。なお、図７は、対向壁の所定領域を示す図であり、図中の黒丸は、ボルト孔３２ｂ及びナット３３が設けられている箇所、すなわち、取り付け用ボルトＢの取り付け箇所を示している。
【００４１】
以上までに本発明の一実施形態（本実施形態）に係る外壁の構成について説明してきたが、上記の実施形態は、本発明の理解を容易にするためのものであり、本発明を限定するものではない。すなわち、本発明は、その趣旨を逸脱することなく、変更、改良され得る。また、本発明には、その等価物が含まれることは勿論である。
【００４２】
また、上記の実施形態では、面材３１ａの所定の角部を基準位置とし、フレーム３２の目地奥部分のうち、面材３１ａの所定の角部を基準位置から所定距離だけ離れた位置にボルト孔３２ｂ及びナット３３が設けられていることとした。ただし、基準位置、及び、基準位置に対するボルト孔３２ｂ及びナット３３の位置（相対位置関係）については、上記の内容に限定されるものではなく、任意に決めることが可能である。
【００４３】
また、上記の実施形態では、外壁パネル３０の本体部３１が外張断熱用の積層構造となっており、面材３１ａ、通気層３１ｂ、第一断熱層３１ｃ及び第二断熱層３１ｄを有することとした。また、上記の実施形態では、外壁パネル３０のフレーム３２のうち、第一断熱層３１ｃ及び第二断熱層３１ｄの間に挟み込まれた部分（具体的には、張り出し部３２ａ）にボルト孔３２ｂ及びナット３３が設けられていることとした。ただし、これに限定されるものではなく、外壁パネル３０の構造は、上述の積層構造と異なる構造であってもよく、例えば断熱層が一つのみ設けられた構造であってもよい。また、外壁パネル３０のフレーム３２において、第一断熱層３１ｃ及び第二断熱層３１ｄの双方と隣接する部分以外の部分にボルト孔３２ｂ及びナット３３が設けられてもよい。
【００４４】
また、上記の実施形態では、対向壁の所定領域を構成する各外壁パネル３０において、ボルト孔３２ｂ及びナット３３が外壁パネル３０中の基準位置を基準として設定された位置に設けられていることとした。ただし、これに限定するものではなく、対向壁を構成するすべての外壁パネル３０において、ボルト孔３２ｂ及びナット３３が外壁パネル３０中の基準位置を基準として設定された位置に設けられてもよい。
【符号の説明】
【００４５】
１０  足場繋ぎ部材（繋ぎ部材）
１１  基端部
１２  中間部
１３  先端部
２０  外壁
２１  横目地（隙間）
２２  縦目地
３０  外壁パネル
３１  本体部
３１ａ  面材
３１ｂ  通気層
３１ｃ  第一断熱層（断熱材、第一の断熱材）
３１ｄ  第二断熱層（断熱材、第二の断熱材）
３１ｅ  スペーサ
３１ｘ  貫通孔
３２  フレーム
３２ａ  張り出し部（特定部分）
３２ｂ  ボルト孔（ネジ孔）
３３  ナット（係合部品）
４０  パネル固定金物
Ｂ  取り付け用ボルト（ネジ）
Ｆ  足場
Ｆｂ  支柱
【図１】
2018104976.tif 000003
【図２】
2018104976.tif 000004
【図３】
2018104976.tif 000005
【図４】
2018104976.tif 000006
【図５】
2018104976.tif 000007
【図６】
2018104976.tif 000008
【図７】
2018104976.tif 000009